【手続補正書】
【提出日】平成18年12月6日(2006.12.6)
【手続補正１】
【補正対象書類名】特許請求の範囲
【補正対象項目名】全文
【補正方法】変更
【補正の内容】
【特許請求の範囲】
【請求項１】
デバイスと通信を行い、前記デバイスから送られるデバイス情報を受信する情報処理装置であって、
前記デバイスに対するオペレーションを前記情報処理装置に求めるオペレーション要求を前記デバイスから受信するオペレーション要求受信手段と、
前記オペレーション要求に従って、前記デバイスに対するオペレーションを前記デバイスに送信するオペレーション送信手段と、
前記デバイスから受信したデバイス情報に対する応答に、前記オペレーション要求を送信するよう前記デバイスに求める要求を付加する要求付加手段と、
前記要求付加手段により前記要求が付加された前記デバイス情報に対する応答を前記デバイスに送信する応答送信手段とを有することを特徴とする情報処理装置。
【請求項２】
前記デバイスに対して必要なオペレーションがあるかどうかを判定する判定手段を有し、
前記判定手段の判定の結果、必要なオペレーションがある場合には、前記応答送信手段は、前記要求付加手段により要求が付加された前記デバイス情報に対する応答を前記デバイスに送信し、必要なオペレーションがない場合には、前記応答送信手段は、前記オペレーション要求を送信するよう前記デバイスに求める要求が付加されていない前記デバイス情報に対する応答を前記デバイスに送信することを特徴とする請求項１に記載の情報処理装置。
【請求項３】
前記デバイス情報は、前記情報処理装置への接続テスト、定期的に通知するデバイス情報、不定期に発生する障害に関する障害情報のうちの少なくとも１つであることを特徴とする請求項１または２に記載の情報処理装置。
【請求項４】
デバイスと通信を行う情報処理装置であって、
前記デバイスに対するオペレーションを前記情報処理装置に求めるオペレーション要求を前記デバイスから受信するオペレーション要求受信手段と、
前記オペレーション要求に従って、前記デバイスに対するオペレーションを前記デバイスに送信するオペレーション送信手段と、
前記デバイスに対するオペレーションがある場合、前記デバイスからの通信に対する応答として、前記オペレーション要求を送信するよう前記デバイスに求める要求を送信する応答送信手段とを有することを特徴とする情報処理装置。
【請求項５】
情報処理装置と通信を行い、前記情報処理装置から送られるオペレーションを実行するデバイスであって、
前記情報処理装置へデバイス情報を送信するデバイス情報送信手段と、
前記デバイス情報送信手段により送信したデバイス情報に対する前記情報処理装置からの応答情報を受信する応答情報受信手段と、
前記デバイスに対するオペレーションを前記情報処理装置に求めるオペレーション要求を前記情報処理装置へ送信するオペレーション要求送信手段と、
前記オペレーション要求に対応するオペレーションを受信するオペレーション受信手段と、
前記応答情報受信手段により受信された応答情報の中に、前記オペレーション要求を送信するよう前記デバイスに求める要求があるか否かを判断する判断手段とを有し、
前記判断手段の判断の結果、前記要求がある場合には、前記オペレーション要求送信手段は前記オペレーション要求を送信することを特徴とするデバイス。
【請求項６】
前記デバイス情報は、前記情報処理装置への接続テスト、定期的に通知するデバイス情報、不定期に発生する障害に関する障害情報のうちの少なくとも１つであることを特徴とする請求項５に記載のデバイス。
【請求項７】
情報処理装置と通信を行い、前記情報処理装置から送られるオペレーションを実行するデバイスであって、
前記情報処理装置に対して通信をする通信手段と、
前記通信手段による通信に対する前記情報処理装置からの応答情報を受信する応答情報受信手段と、
前記デバイスに対するオペレーションを前記情報処理装置に求めるオペレーション要求を前記情報処理装置へ送信するオペレーション要求送信手段と、
前記オペレーション要求に対応するオペレーションを受信するオペレーション受信手段と、
前記応答情報受信手段により受信された応答情報として、前記オペレーション要求を送信するよう前記デバイスに求める要求が含まれている場合には、前記オペレーション要求送信手段は前記オペレーション要求を送信することを特徴とするデバイス。
【請求項８】
デバイスと通信を行い、前記デバイスから送られるデバイス情報を受信する情報処理装置における情報処理方法であって、
前記デバイスに対するオペレーションを前記情報処理装置に求めるオペレーション要求を前記デバイスから受信するオペレーション要求受信工程と、
前記オペレーション要求に従って、前記デバイスに対するオペレーションを前記デバイスに送信するオペレーション送信工程と、
前記デバイスから受信したデバイス情報に対する応答に、前記オペレーション要求を送信するよう前記デバイスに求める要求を付加する要求付加工程と、
前記要求付加工程により前記要求が付加された前記デバイス情報に対する応答を前記デバイスに送信する応答送信工程とを有することを特徴とする情報処理方法。
【請求項９】
デバイスと通信を行い、前記デバイスから送られるデバイス情報を受信する情報処理装置における情報処理方法をコンピュータに実行させるプログラムであって、
前記デバイスに対するオペレーションを前記情報処理装置に求めるオペレーション要求を前記デバイスから受信するオペレーション要求受信工程と、
前記オペレーション要求に従って、前記デバイスに対するオペレーションを前記デバイスに送信するオペレーション送信工程と、
前記デバイスから受信したデバイス情報に対する応答に、前記オペレーション要求を送信するよう前記デバイスに求める要求を付加する要求付加工程と、
前記要求付加工程により前記要求が付加された前記デバイス情報に対する応答を前記デバイスに送信する応答送信工程とをコンピュータに実行させることを特徴とするコンピュータプログラム。
【手続補正２】
【補正対象書類名】明細書
【補正対象項目名】００１６
【補正方法】変更
【補正の内容】
【００１６】
本発明の情報処理装置は、デバイスと通信を行い、前記デバイスから送られるデバイス情報を受信する情報処理装置であって、前記デバイスに対するオペレーションを前記情報処理装置に求めるオペレーション要求を前記デバイスから受信するオペレーション要求受信手段と、前記オペレーション要求に従って、前記デバイスに対するオペレーションを前記デバイスに送信するオペレーション送信手段と、前記デバイスから受信したデバイス情報に対する応答に、前記オペレーション要求を送信するよう前記デバイスに求める要求を付加する要求付加手段と、前記要求付加手段により前記要求が付加された前記デバイス情報に対する応答を前記デバイスに送信する応答送信手段とを有することを特徴としている。
【手続補正３】
【補正対象書類名】明細書
【補正対象項目名】００１７
【補正方法】変更
【補正の内容】
【００１７】
本発明のデバイスは、情報処理装置と通信を行い、前記情報処理装置から送られるオペレーションを実行するデバイスであって、前記情報処理装置へデバイス情報を送信するデバイス情報送信手段と、前記デバイス情報送信手段により送信したデバイス情報に対する前記情報処理装置からの応答情報を受信する応答情報受信手段と、前記デバイスに対するオペレーションを前記情報処理装置に求めるオペレーション要求を前記情報処理装置へ送信するオペレーション要求送信手段と、前記オペレーション要求に対応するオペレーションを受信するオペレーション受信手段と、前記応答情報受信手段により受信された応答情報の中に、前記オペレーション要求を送信するよう前記デバイスに求める要求があるか否かを判断する判断手段とを有し、前記判断手段の判断の結果、前記要求がある場合には、前記オペレーション要求送信手段は前記オペレーション要求を送信することを特徴としている。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
本発明の情報処理方法は、デバイスと通信を行い、前記デバイスから送られるデバイス情報を受信する情報処理装置における情報処理方法であって、前記デバイスに対するオペレーションを前記情報処理装置に求めるオペレーション要求を前記デバイスから受信するオペレーション要求受信工程と、前記オペレーション要求に従って、前記デバイスに対するオペレーションを前記デバイスに送信するオペレーション送信工程と、前記デバイスから受信したデバイス情報に対する応答に、前記オペレーション要求を送信するよう前記デバイスに求める要求を付加する要求付加工程と、前記要求付加工程により前記要求が付加された前記デバイス情報に対する応答を前記デバイスに送信する応答送信工程とを有することを特徴としている。
【手続補正６】
【補正対象書類名】明細書
【補正対象項目名】００２０
【補正方法】変更
【補正の内容】
【００２０】
本発明のコンピュータプログラムは、デバイスと通信を行い、前記デバイスから送られるデバイス情報を受信する情報処理装置における情報処理方法をコンピュータに実行させるプログラムであって、前記デバイスに対するオペレーションを前記情報処理装置に求めるオペレーション要求を前記デバイスから受信するオペレーション要求受信工程と、前記オペレーション要求に従って、前記デバイスに対するオペレーションを前記デバイスに送信するオペレーション送信工程と、前記デバイスから受信したデバイス情報に対する応答に、前記オペレーション要求を送信するよう前記デバイスに求める要求を付加する要求付加工程と、前記要求付加工程により前記要求が付加された前記デバイス情報に対する応答を前記デバイスに送信する応答送信工程とをコンピュータに実行させることを特徴としている。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
本発明によれば、デバイスからの通信に対する応答として、オペレーション要求を送信するようデバイスに求める要求を情報処理装置からデバイスへ送信することにより、デバイスが自発的に或いは定期的にオペレーション要求を送信してくるのを待つことなく、スケジュール情報の変更等のオペレーションをできるだけ迅速に送信することができる。